(57)【要約】【課題】  この考案は、地域団体がその範囲内の住民などに情報を確実に伝達し、サービスを向上することを目的としたものである。【解決手段】  この考案は、常時情報伝達を要する地域団体で用いる為に、下記要件を組み合わせたことを特徴とする情報伝達システムにより目的を達成した。１．地域内の適所数箇所に情報を受信し、表示する情報伝達手段を設置すること。２．地域団体の情報担当部に情報送信手段を設置すること。３．情報の表示は、視覚及び聴覚で確認できること。４．視覚は、繰り返えして表示することを妨げないこと。５．定時に情報伝達をすること。６．視覚情報と聴覚情報は同時又は別々の何れでも選択できること。【選択図】  図１
0003105595.tif 000002
【実用新案登録請求の範囲】
【請求項１】
常時情報伝達を要する地域団体で用いる為に、下記要件を組み合わせたことを特徴とする情報伝達システム。
１．地域内の適所数箇所に情報を受信し、表示する情報伝達手段を設置すること。
２．地域団体の情報担当部に情報送信手段を設置すること。
３．情報の表示は、視覚及び聴覚で確認できること。
４．視覚は、繰り返えして表示することを妨げないこと。
５．定時に情報伝達をすること。
６．視覚情報と聴覚情報は同時又は別々の何れでも選択できること。
【請求項２】
視覚による情報伝達は、電光表示、又は映像表示としたことを特徴とする請求項１記載の情報伝達システム。
【請求項３】
情報送信手段は、放送、電話、メール通信その他の送信手段を用いることができることを特徴とする請求項１記載の情報伝達システム。
【考案の詳細な説明】
【技術分野】
【０００１】
この考案は、地方公共団体などにおいて、構成員（住民）に、必要な情報を視覚、聴覚で伝達することを目的とした情報伝達システムに関する。
【背景技術】
【０００２】
従来公営競技のレースガイドや緊急災害時の緊急情報をリアルタイムに提供する公的情報の電光表示システムが提案されている。
【０００３】
また、番組表示システムと避難誘導システムとをブリッジして、火災発生などの避難誘導時には弱視者や、難聴者に配慮した避難誘導表示が可能な情報表示システムの提案がある。
【特許文献１】特開平９−１７９５２６
【特許文献２】特開平１１−３５３５６３
【考案の開示】
【考案が解決しようとする課題】
【０００４】
前記公知例は、緊急災害時の非難その他について有効な情報伝達システムであるが、日常の情報伝達については考慮されていない問題点があった。日常の情報伝達を非常の時の情報伝達に変えるのは容易であるが、緊急災害時の情報伝達を日常使用することは困難な場合が多く、常時使用できるようにする為には、対応の為の各種施策を必要とする問題点があった。
【課題を解決するための手段】
【０００５】
この考案は、地域団体（例えば地方公共団体）の地域内適所に数箇所の情報伝達手段を設置し、発信された情報を視覚・聴覚で受信できるようにして、前記従来の問題点を解決したのである。
【０００６】
即ちこの考案は、常時情報伝達を要する地域団体で用いる為に、下記要件を組み合わせたことを特徴とする情報伝達システムである。
【０００７】
１．地域内の適所数箇所に情報を受信し、表示する情報伝達手段を設置すること。
【０００８】
２．地域団体の情報担当部に情報送信手段を設置すること。
【０００９】
３．情報の表示は、視覚及び聴覚で確認できること。
【００１０】
４．視覚は、繰り返えして表示することを妨げないこと。
【００１１】
５．定時に情報伝達をすること。
【００１２】
６．視覚情報と聴覚情報は同時又は別々の何れでも選択できること。
【００１３】
また他の考案は、視覚による情報伝達は、電光表示、又は映像表示としたものであり、情報送信手段は、放送、電話、メール通信その他の送信手段を用いることができるとしたものである。
【００１４】
従来各種情報を有線放送する技術は各地で実施されており、公的サービスの一環として今後共広く採用される傾向にある。
【００１５】
然して競馬、競輪、オートレース、競艇等の公営競技に関する情報は比較的よく伝達されているが、一般生活に直結する情報、緊急時に迅速に周知させなければならない情報は仲々効率よく伝達されない傾向にある。何故ならば、前記競馬などは、定期的に開催され、地方公共団体の収益に繋がるので何れも力を入れるが、人の生活に関する情報などは、地方公共団体の収入にならないので、災害が起きてから対処する風潮にあって、若干遅れの感を免れない。
【００１６】
また音声放送の場合には、一旦聞き落とすと再現の手段がなく、徹底不十分の為に目的を達成し得ないことが多々ある反面、音声の聞こえる地域はどこでも聞くことができる利点がある。
【００１７】
また電光表示板の場合には、目の不自由な人、又は表示が見えない場所では、情報を逃すおそれがあった。
【００１８】
そこでこの考案は、音声放送と共に、電光表示その他の手段によって文字又は図形、あるいは文字及び図形又は映像などを表示することにより、多数の人に情報を正確に伝達し得るようにしたものである。
【００１９】
前記考案における発信は、パソコン、携帯電話、ＦＭ電話、ＰＨＳなど、送受信がセットされていれば、何れの情報伝達手段でも情報を伝達することができる。
【考案の効果】
【００２０】
この考案は、地方公共団体などの発信場所から、当該団体の地域内へ設けた受信手段へ、公知の伝達手段を使用して情報を伝達するので、リアルタイムに多数の人々に情報を伝達することができる効果がある。
【００２１】
然して視覚と聴覚を併用し、又は視覚は繰り返すと共に、定時伝達するので、受信者は、予め待機して正確な情報を確実に受信できる効果がある。また各受信場所において、自動録音し、自動再生する装置を付設しておけば、放送（表示）は一回であっても、各受信場所においても、同一情報を繰り返し放送（表示）できる効果がある。
【考案を実施するための最良の形態】
【００２２】
この考案は、１個の発信装置と、数個の受信装置とを電話線で接続すると共に、受信装置に表示板と、スピーカーとを接続する。
【００２３】
前記表示板は電光表示板、映像表示板などを用いて、文字、図形などを表示する。この場合に、スピーカーの放送内容と一致させることにより、理解を早めることができる。
【００２４】
前記受信された情報は総て蓄積（録音、録画）しておいて、必要に応じて再表示することができる。例えば、正午から２０分に亘って表示した文字、図形情報を、１７時から２０分に亘って再表示すれば、たまたま前記正午からの情報を聞き漏らした場合であっても、再表示により聞くことができる。
【００２５】
前記のように定時放送によって地域の人々の期待させると共に、たまたま当該時刻に不在の人々に対しては、再放送で補うことができる利点がある。
【００２６】
また再放送でも聞くことができなかった人々の為に、電話で情報を得るようにすれば完全である。例えば発信装置に録音装置を付設しておき、問合せ時に際しては自動再生によって情報を伝達するサービスができる。
【実施例】
【００２７】
この考案の実施例を地方公共団体（例えば町）に設置した場合を図１に基づいて説明すると、町役場に情報の発信装置１をおき、町内各所に設置した受信装置２ａ、２ｂ、２ｃ、２ｄ等に送信し、夫々の場所に設置したスピーカー３、３によって音声放送すると共に、表示板４、４に表示（例えば液晶映像による文字・画像）する。前記のように受信装置に夫々異なる表示をしておけば、必要の際場所を特定できる利点がある。
【００２８】
そこで音声と、表示を併用すれば、情報を一層確実に理解することができる。
【００２９】
前記受信装置に自動録画再生装置を付設しておけば、表示又は表示と音声を繰り返し放送することができる。また前記録画録音再生装置を操作できるようにしておけば、発信装置からの指令によって、同日内（又は２日以内）における繰り返し放送をすることができる。
【図面の簡単な説明】
【００３０】
【図１】この考案の実施例のブロック図。
【符号の説明】
【００３１】
１  発信装置
２ａ、２ｂ、２ｃ、２ｄ  受信装置
３  スピーカー
４  表示板
【図１】
0003105595.tif 000003